(57)【特許請求の範囲】
【請求項１】
のど部で折り曲げ可能な表表紙及び裏表紙と、
前記表表紙及び裏表紙の一方の１つの縁部に連設され、該縁部に隣合う他の縁部に被着されて前記表表紙及び裏表紙の一方との間で袋体を形成する折り返し片とを有し、
前記被着された折り返し片が、該折り返し片の自由縁部に対向して収納品に当接する横動拘束当接縁と、前記横動拘束当接縁に当接した前記収納品に当接するように離間対峙させた縦動拘束当接縁とを形成した切り込みを有し、
前記自由縁部に前記収納品の少なくとも一部を覆う折り返しカバーが連設されており、
前記折り返しカバーを閉じたとき、前記収納品が、前記横動拘束当接縁と縦動拘束当接縁と折り返しカバーとにより保持されることを特徴とするディスク用ホルダ。
【請求項２】
前記折り返し片の縦方向長さが前記表表紙及び裏表紙の一方の縦方向長さより短く、前記折り返し片が前記表表紙及び裏表紙の一方の下縁に連設されるとともに前記表表紙及び裏表紙の前記一方の側縁に被着され、前記切り込みが前記折り返し片の上縁に隣接して設けられていることを特徴とする請求項１記載のディスク用ホルダ。
【発明の詳細な説明】
【０００１】
【発明の属する技術分野】
本発明は、矩形のディスク、円形ディスク、又は、ディスク用ケース（以下、「収納品」という。）」を経済的且つ確実に収納することができるディスク用ホルダに関する。本発明は、特に、電子媒体としてミニディスクに代表されるディスクをそのまま収納するのに適している。
【０００２】
【従来の技術】
従来のディスク用ホルダとして、特開昭６１−１２７４７５号公報に記載されるように、二重の折畳みカバーを２つ折りに成形し、折畳みカバーの見開き一方に切り欠き溝を形成して、ディスクを切り欠き溝で支持するものがある。そして、このディスク用ホルダは、二重の折畳みカバーの間に一方の側縁開口から物品を収容することができるようになっている。
【０００３】
【発明が解決しようとする課題】
上記ディスク用ホルダでは、ディスクの横方向移動が拘束されていないので、ホルダ内にディスクを保持しておくことが確実でなく、運送中や持運び中にディスクがホルダから落下する危険がある。電子媒体のような精密機器では、落下によって機能が破壊されことがあるので、ディスク用ホルダ内で確実に保持しておく必要がある。
また、ディスクが外部に露出しないように、二重の折畳みカバーの見開き面に切り欠き溝を形成しているため、ディスクを切り欠き溝に挿入する際、溝を大きく開かねばらならず、ディスクを装着することが極めて面倒である。
さらに、側縁開口から物品を取り出す方向と、ディスクを取り出す方向が同じであるため、例えば、収納物を取り出す際にディスクが落下する危険もある。
【０００４】
本発明の主たる目的は、上記収納品の移動を拘束して確実に保持収納するとともに、衝撃等からも収納品を保護するディスク用ホルダを提供することである。
【０００５】
【課題を解決するための手段】
本発明は、のど部で折り曲げ可能な表表紙及び裏表紙と、前記表表紙及び裏表紙の一方の１つの縁部に連設され、該縁部に隣合う他の縁部に被着されて前記表表紙及び裏表紙の一方との間で袋体を形成する折り返し片とを有し、被着された折り返し片が、該折り返し片の自由縁部に対向して収納品に当接する横動拘束当接縁と、前記横動拘束当接縁に当接した前記収納品に当接するように離間対峙させた縦動拘束当接縁とを形成した切り込みを有し、前記自由縁部に前記収納品の少なくとも一部を覆う折り返しカバーが連設されており、前記折り返しカバーを閉じたとき、前記収納品が、前記横動拘束当接縁と縦動拘束当接縁と折り返しカバーとにより保持されるディスク用ホルダにより、前記課題を解決したものである。
【０００６】
【作用】
本発明によるディスク用ホルダでは、まず、表紙を開いた状態にする。折り返し片は、表表紙又は裏表紙に設けられており、
表紙の見開き一面において袋体を形成している。
取扱説明書やパンフレットの紙葉は、この袋体に収納できるようになっている。
また、折り返し片には、切り込みが形成されており、袋体は、紙葉を収納することに加えて切り込みによってディスク等の収納品を保持するようになっている。
すなわち、切り込みは、横動拘束当接縁と縦動拘束当接縁を有し、自由縁部に臨む横動拘束当接縁に収納品を当接させるとともに、縦動拘束当接縁に収納品を当接させることにより、その収納品は３方向への移動を拘束される。
折り返し片は、さらに、自由縁部において折り返しカバーを有し、切り込みに装着された収納品を覆うように折り返しカバーを折り返すと、収納品は４方向への移動を拘束される。
表紙を閉じた状態において、折り返しカバーは裏返ることがなく、ディスク用ホルダの持運び中、収納品は、ディスク用ホルダ内に確実に保持される。
【０００７】
また、本発明では、折り返し片により袋体を形成する場合、その折り返し片を表表紙又は裏表紙の下縁に連設し、表表紙又は裏表紙の側縁に被着しておくことが好ましい。
こうすることにより、紙葉を抜き差しする方向が表紙の上下方向となり、収納品を抜き差しする方向が表紙の左右方向となる。それぞれの物品を抜き差しする方向を異なせることによって、一方の物品を取り出す際に、他方の物品がディスク用ホルダ内から脱落しにくくなる。
また、折り返し片を表表紙又は裏表紙の縦方向長さより短くして、上縁とのど部に向って開放させておくことが好ましい。そして、短くなった上縁に隣接して切り込みを形成しておくことが好ましい。
こうすることにより、折り返し片の上縁を持ち上げて、その折り返し片を歪めることにより、切り込みに収納品を容易に装着することができる。
【０００８】
【実施例】
以下、図面を参照して本発明によるディスク用ホルダの実施例を説明する。
収納品の例として矩形ディスクを例示したが、本発明は、円形ディスクやそのケースにも応用することができる。
図１乃至図３は、本発明の理解を助けるための参考例となるディスク用ホルダを示し、図１は、参考例となるディスク用ホルダの展開図であり、図２は、完成した参考例となるディスク用ホルダの斜視図であり、図３はディスクを収納したディスク用ホルダの斜視図である。
そして、図４乃至図６は、本発明によるディスク用ホルダの実施例を示し、図４は、ディスク用ホルダの展開図であり、図５は、完成したディスク用ホルダの斜視図であり、図６は、ディスクを収納したディスク用ホルダの斜視図である。
【０００９】
まず、本発明の理解を助けるための参考例となるディスク用ホルダ１０は、図１に示すように、展開した状態において、実質的に、同じ形状の表表紙１１と裏表紙１２とがのど部１３によって折り返し可能になっており、裏表紙１２の下縁に折り返し片１４が連設されたものである。
そして、このディスク用ホルダ１０は、紙又はプラスチックシート等の薄いシートを打ち抜き加工して成形される。なお、折筋１５は、肉厚のディスクが収納されたとき、表表紙１１に皺が生じないようにマチを作るためのものである。
【００１０】
折り返し片１４は、裏表紙１２の下縁を折筋として裏表紙１２に重なるように折り返され、裏表紙１２の側縁に糊付けされる。
そして、折り返し片１４は、裏表紙１２より僅かに幅が狭く、裏表紙１２より縦方向寸法が短い。裏表紙１２に被着された折り返し片１４は、上縁及びのど部１３側の側縁を自由縁部１６として袋体を形成する。この袋体には、取扱説明書やパンフレット等の紙葉が挟み込まれる。
【００１１】
また、前記折り返し片１４には、ディスク装着用の切り込み１７が形成されている。
そして、この切り込み１７は、裏表紙１２縦方向中央でディスクを保持でき、裏表紙１２ののど部１３近くでディスクを保持できる位置に形成されている。また、この切り込み１７は、折り返し片１４の上縁に隣接している。
さらに、前記切り込み１７は、ハ字状の一対の切り抜き部１８により構成されており、裏表紙１２の側縁側の横動拘束当接縁１９と、裏表紙１２の上縁側及び下縁側の縦動拘束当接縁２０を有している。横動拘束当接縁１９は、のど部１３からディスクの一辺より僅かに離れた位置に設けられている。縦動拘束当接縁２０は、前記一辺に隣合う両辺の対向間隔で対峙離間している。
【００１２】
上記のように構成された本発明の参考例であるディスク用ホルダ１０は、折り返し片１４の上縁近傍に切り込み１７が設けられており、その切り込み１７は、容易に変形させられる。
そして、切り込み１７は、ディスクを受け入れるように開口する。のど部１３方向からディスクをその切り込み１７に挿入すると、そのディスクは、横動拘束当接縁１９に当接するとともに、縦動拘束当接縁２０に挟持される。
ディスクの前記一辺に対向する一辺は、のど部１３近くで、そののど部１３に沿って位置決めされる。表紙を閉じると、ディスクは、４方向で移動を拘束される。
【００１３】
従って、持運び中や輸送中にディスク用ホルダ内から脱落することがなく、ディスクは、表紙内に確実に保持される。
本参考例のディスク用ホルダ１０は、積み重ねにも便利である。すなわち、ディスクを保持する切り込み１７が表紙の縦方向中央に設けられているので、ディスク用ホルダを積層させたときに厚みのばらつきが少なく、荷崩れが生じることも少ない。
また、紙葉とディスクの挿入方向を直交させて異ならせたことにより、一方の物品を抜き差しする際、他方の物品が飛び出したり落下したりすることもなく、物品の取扱も容易である。
【００１４】
そこで、本発明の実施例であるディスク用ホルダ１０’について、以下に説明する。
本発明の実施例であるディスク用ホルダ１０’は、図４に示すように、展開した状態において、実質的に、同じ形状の表表紙１１’と裏表紙１２’とが、のど部１３’によって折り返し可能になっており、裏表紙１２’の下縁に折り返し片１４’が連設されたものである。
本発明の実施例においても、ディスク用ホルダ１０’は、紙又はプラスチックシート等の薄いシートを打ち抜き加工して成形されている。
【００１５】
折り返し片１４’は、裏表紙１２’の下縁を折筋として裏表紙１２’に重なるように折り返され、裏表紙１２’の側縁に糊付けされている。
折り返し片１４’は、裏表紙１２’下縁ののど部１３’近傍から側縁に傾斜する自由縁部１６’を有し、その幅が漸減している。
また、折り返し片１４’は、裏表紙１２’より縦方向寸法が短い。裏表紙１２’に被着された折り返し片１４’は、上縁及びのど部１３’側の側縁を自由縁部１６’として袋体を形成している。
したがって、この袋体には、取扱説明書やパンフレット等の紙葉が挟み込まれる。
【００１６】
前記折り返し片１４’には、ディスク装着用の切り込み１７’が形成されている。
前記切り込み１７’は、裏表紙１２’縦方向中央でディスクを保持でき、折り返し片１４’の自由縁部１６’でディスクを保持できる位置に形成されている。
また、この切り込み１７’は、折り返し片１４’の上縁にも隣接している。
そして、切り込み１７’は、ハ字状の一対の切り抜き部１８’により構成されており、裏表紙１２’の側縁側の横動拘束当接縁１９’と、裏表紙１２’の上縁側及び下縁側の縦動拘束当接縁２０’を有している。
さらに、横動拘束当接縁１９’は、のど部１３’側の自由縁部１６’からディスクの一辺より僅かに離れた位置に設けられている。
縦動拘束当接縁２０’は、前記一辺に隣合う両辺の対向間隔で対峙離間している。
【００１７】
本発明の実施例は、さらに、折り返し片１４’に折り返しカバー２１が一体に形成されている。
そして、この折り返しカバー２１は、切り込み１７’と横方向で整列して形成されており、折り返し片１４’ののど部１３’側の自由縁部１６’に連設されている。
この折り返しカバー２１も、表表紙１１’、裏表紙１２’及び折り返し片１４’を成形する際に同時に成形される。
さらに、この折り返しカバー２１は、のど部１３’より表表紙１１’側に延設されている。そして、折り返しカバー２１、折り返し片１４’の自由縁部１６’を折筋として切り込み１７’方向に折り返されたとき、裏表紙１２’の領域内に位置する。
この状態において、折り返しカバー２１は、切り込み１７’の横動拘束当接縁１９’と縦動拘束当接縁２０’とに当接したディスクの少なくとも一部を覆うようになっている。
【００１８】
上述したように構成された本発明の実施例であるディスク用ホルダ１０’は、折り返し片１４’の上縁近傍に切り込み１７’が設けられており、その切り込み１７’は、容易に変形させられる。
そして、切り込み１７’は、ディスクを受け入れるように開口する。のど部１３’方向からディスクをその切り込み１７’に挿入すると、そのディスクは、横動拘束当接縁１９’に当接するとともに、縦動拘束当接縁２０’に挟持されている。
そして、表紙を閉じると、折り返しカバー２１は、表表紙１１’とともにディスク上に折り返される。
その結果、ディスクは、横動拘束当接縁１９’と縦動拘束当接縁２０’と折り返しカバー２１とによって４方向への移動を拘束される。
【００１９】
従って、持運び中や輸送中にディスク用ホルダ内から脱落することがなく、ディスクは、表紙内に確実に保持される。
本発明の実施例であるディスク用ホルダ１０’は、積み重ねにも便利である。すなわち、ディスクを保持する切り込み１７’が表紙の縦方向中央に設けられているので、ディスク用ホルダを積層させたときに厚みのばらつきが少なく、荷崩れが生じることも少ない。
また、紙葉とディスクの挿入方向を直交させて異ならせたことにより、一方の物品を抜き差しする際、他方の物品が飛び出したり落下したりすることもなく、物品の取扱も容易である。
【００２０】
上述した本発明の実施例では、切り込みがハ字状であるが、横動拘束当接縁と縦動拘束当接縁とが形成されていれば、山形状の切り抜きをディスク中心に向けて形成したものでもよい。
また、折り返し片は、裏表紙に設けられているが、この折り返し片は、表表紙に設けられていてもよい。
さらに、折り返し片は、裏表紙の下縁に連設されてその側縁に被着されているが、側縁に連設されて下縁に被着されていてもよい。
【００２１】
【発明の効果】
請求項１の発明では、表表紙又は裏表紙の一方の縁部に連設された折り返し片によって袋体を形成し、その袋体に紙葉を収納することができるようにし、さらに、折り返し片に収納品を保持する切り込みを設け、その切り込みに自由縁部に臨む横動拘束当接縁と離間対峙する縦動拘束当接縁を形成し、横動拘束当接縁を自由縁部から保持される収納品の長さだけ離して形成するとともに、自由縁部に収納品の少なくとも１部を覆う折り返しカバーを連設したので、表紙を閉じた状態において、横動拘束当接縁、縦動拘束当接縁及び折り返しカバーが連設された自由縁部によって収納品は移動を拘束され、簡易な構造によってディスク用ホルダ内に収納品を確実に保持収納させておくことができる。
また、表紙でなく折り返し片に切り込みを形成して収納品を保持させるので、折り返し片を歪めて収納品を容易に装着することができる。そして、その収納品は、表紙間及び折り返し片と折り返しカバーの間に挟まれるので、衝撃等からも保護される。
このディスク用ホルダは、紙やプラスチックシートのみによって構成することができ、切り込みの構造及び切り込みの位置を工夫することにより収納品を確実に保持することができるので、製造コストも廉価で極めて経済的である。
【００２２】
請求項２の発明では、請求項１の発明が奏する効果に加えて、折り返し片を表表紙又は裏表紙の縦方向長さより短くして、短くなった上縁に隣接して切り込みを形成したので、２辺が開放されている折り返し片は、切り込みが形成された部位において容易に歪めることができ、切り込みの収納品の装着が容易である。
【図面の簡単な説明】
【図１】本発明の理解を助けるための参考例であるディスク用ホルダの展開図。
【図２】図１に示すディスク用ホルダの斜視図。
【図３】図２に示すディスク用ホルダにディスクを保持させた状態の斜視図。
【図４】本発明の実施例であるディスク用ホルダの展開図。
【図５】図４に示すディスク用ホルダの斜視図。
【図６】図５に示すディスク用ホルダにディスクを保持させた状態の斜視図。
【符号の説明】
１０，１０’  ・・・ディスク用ホルダ
１１，１１’  ・・・表表紙
１２，１２’  ・・・裏表紙
１３，１３’  ・・・のど部
１４，１４’  ・・・折り返し片
１５          ・・・折筋
１６，１６’  ・・・自由縁部
１７，１７’  ・・・切り込み
１８，１８’  ・・・切り抜き部
１９，１９’  ・・・横動拘束当接縁
２０，２０’  ・・・縦動拘束当接縁
２１          ・・・折り返しカバー
Ｄ            ・・・ディスク（収納品）
【図１】
0003996998.tif 000002
【図２】
0003996998.tif 000003
【図３】
0003996998.tif 000004
【図４】
0003996998.tif 000005
【図５】
0003996998.tif 000006
【図６】
0003996998.tif 000007